(57)【要約】      （修正有）【課題】多数のスピーカを有する音響システムにおいて、複数のスピーカの出力音量レベルを、視覚的に同時に把握しやすい音響調整装置を提供する。【解決手段】音響調整装置１は、音場に配置された複数のスピーカの出力音量レベルを検出する音量レベル検出部３１と、複数のスピーカの設置位置を記憶した記憶部３２と、音量レベル検出部３１が検出した出力音量レベルと、記憶部３２に記憶された複数のスピーカとを関連付ける制御部３５と、制御部３５により関連付けられた複数のスピーカごとの出力音量レベルを表示する表示部３４と、を有する。表示部３４は、複数のスピーカのうち聴取位置と略同一平面に配置されたスピーカの出力音量レベルがグラフにて表現された、複数の二次元画像を表示する。【選択図】図１
2020017880.tif 000002
【特許請求の範囲】
【請求項１】
音場に配置された複数のスピーカの出力音量レベルを検出する音量レベル検出部と、
前記複数のスピーカの設置位置を記憶した記憶部と、
前記音量レベル検出部が検出した前記出力音量レベルと、前記記憶部に記憶された前記複数のスピーカとを関連付ける制御部と、
前記制御部により関連付けられた前記複数のスピーカごとの前記出力音量レベルを表示する表示部と、を有し、
前記表示部は、前記複数のスピーカのうち聴取位置と略同一平面に配置されたスピーカの出力音量レベルがグラフにて表現された、複数の二次元画像を表示する、
音響調整装置。
【請求項２】
前記複数のスピーカは、
聴取位置に対し、少なくとも前方の左右の上下、後方の左右の上下に配置された、
請求項１に記載の音響調整装置。
【請求項３】
前記表示部により表示される前記複数の二次元画像は、
少なくとも前方の左の上下および後方の右の上下のスピーカを含む第１の二次元画像、および、前方の右の上下および後方の左の上下のスピーカを含む第２の二次元画像を含む、
請求項２に記載の音響調整装置。
【請求項４】
前記音量レベル検出部は、前記複数のスピーカに入力される信号のレベルを出力音量レベルとして検出する、
請求項１乃至３のいずれか１項に記載の音響調整装置。
【請求項５】
前記音量レベル検出部は、前記複数のスピーカから出力された実音の出力音量レベルを検出する、
請求項１乃至３のいずれか１項に記載の音響調整装置。
【請求項６】
前記表示部は、タッチスクリーンにより構成され、
前記表示部を構成するタッチスクリーンが作業者にタッチされることにより、前記複数のスピーカのうち一つに対応した、調整の対象となるフェーダーを示すインジケータを有する、
請求項１乃至５のいずれか１項に記載の音響調整装置。
【請求項７】
前記表示部により表示される前記複数の二次元画像における前記複数のスピーカの前記出力音量レベルは、スプライン曲線により接続され表示される、
請求項１乃至６のいずれか１項に記載の音響調整装置。
【発明の詳細な説明】
【技術分野】
【０００１】
本発明は、音場に設置された複数のスピーカの出力音量レベルを調整する音響調整装置に関する。
【背景技術】
【０００２】
近年、高音質で音場を再現した音響システムが普及している。このような音響システムは、テレビモニタを介してコンサートの鑑賞やスポーツ観戦を行うホール等に配置される。このような音響システムは、臨場感を向上させるため、複数のスピーカから３Ｄサラウンド方式にて音声を出力する。
【０００３】
音響システムにおける複数のスピーカから出力される音量を調整するために、いわゆる音声調整卓と呼ばれるオーディオミキサー等の音響調整装置が知られている。
【先行技術文献】
【特許文献】
【０００４】
【特許文献１】特開２０１８−０７４２８０号公報
【特許文献２】特開２０１５−２１３２４６号公報
【発明の概要】
【発明が解決しようとする課題】
【０００５】
前述のとおり、複数のスピーカから出力される音量を調整するオーディオミキサー等の音響調整装置が知られている。近年の音響システムは、臨場感を向上させるため、３Ｄサラウンド方式にて音声を出力する多数のスピーカを有する。３Ｄサラウンド方式とは、３次元的に配置された多数のスピーカにより音声を出力し、多方向からの音声が聴取者に到達する音響空間を実現するシステムである。これにより聴取者は、高臨場感の音声を楽しむことができる。
【０００６】
音響システムが設置された多数のスピーカにおいて作業者は、多数のスピーカから出力される音量の調整を適宜行う。従来のオーディオミキサー等の音響調整装置において、出力音量レベルは、多数のスピーカごとにバーグラフ状のレベルメーターにより表示されていた。このレベルメーターは、音響調整装置の一か所に集約して配置されていた。
【０００７】
作業者は、このバーグラフ状のレベルメーターを参照し、出力音量レベルの調整を多数のスピーカごとに行っていた。また、作業者は、多数のスピーカから実際に出力された音声を聴取し、多数のスピーカの出力バランスを確認し出力音量レベルの調整を行っていた。
【０００８】
しかしながら、バーグラフ状のレベルメーターが、設置された多数のスピーカのうち、どのスピーカに対応するのか判別しにくいとの問題点があった。レベルメーターに対応するスピーカが判別しにくいことは、対象となるスピーカの出力音量レベルを迅速に変更しにくく、また、対象となるスピーカを誤認してしまう可能性があり、不都合であった。
【０００９】
バーグラフ状のレベルメーターが示す出力音量レベルに基づきスピーカの出力音量レベルの調整を行った場合、ホール等の音場全体の音響バランスを把握しにくく、不自然な音響バランスを有する音声が聴取者に到達してしまう可能性もあった。
【００１０】
特に、近年の３Ｄサラウンド方式に対応した音響システムは、臨場感を向上させるため、多数のスピーカを有する。多数のスピーカから出力された音声は、音響システムが設置されたホール等の天井、側壁等により複雑な干渉を起こす。また、演奏されるコンテンツの品質によっても音響バランスが異なる。
【００１１】
従来は、熟練した作業者により、ホール等の音場全体の音響バランスが良好となるように出力音量レベルの調整が行われていた。このため熟練していない作業者により出力音量レベルの調整が行われた場合、音響品質が異なってしまう可能性があり、不都合であった。
【００１２】
本発明は、多数のスピーカを有する音響システムにおいて、複数のスピーカの出力音量レベルを、視覚的に同時に把握しやすい音響調整装置を提供することを目的とする。
【課題を解決するための手段】
【００１３】
本発明の音響調整装置は、次のような構成を有することを特徴とする。
（１）音場に配置された複数のスピーカの出力音量レベルを検出する音量レベル検出部。
（２）前記複数のスピーカの設置位置を記憶した記憶部。
（３）前記音量レベル検出部が検出した前記出力音量レベルと、前記記憶部に記憶された前記複数のスピーカとを関連付ける制御部。
（４）前記制御部により関連付けられた前記複数のスピーカごとの前記出力音量レベルを表示する表示部。
（５）前記表示部は、前記複数のスピーカのうち聴取位置と略同一平面に配置されたスピーカの出力音量レベルがグラフにて表現された、複数の二次元画像を表示する。
【発明の効果】
【００１４】
本発明によれば、多数のスピーカを有する音響システムにおいて、複数のスピーカの出力音量レベルを、視覚的に同時に把握しやすい音響調整装置を提供することができる。
【図面の簡単な説明】
【００１５】
【図１】第１実施形態にかかる音響調整装置の構成を示す図
【図２】第１実施形態にかかる音響調整装置のフェーダーおよびインジケータを示す図
【図３】第１実施形態にかかる音響調整装置におけるスピーカの配置位置を示す図
【図４】第１実施形態にかかる音響調整装置の表示部による表示を示す図
【図５】第１実施形態にかかる表示部による表示を説明する図
【図６】第１実施形態にかかるインジケータの動作を示す図
【図７】第１実施形態にかかる音響調整装置のプログラムフローを示す図
【図８】他の実施形態にかかる音響調整装置の構成を示す図
【発明を実施するための形態】
【００１６】
［１．第１実施形態］
［１−１．構成］
図１〜３を参照して本実施形態の一例としての音響調整装置１の構成について説明する。
【００１７】
（１）音響調整装置１の全体構成
音響調整装置１は外部に接続されたスピーカ７の出力音量レベルを調整する装置である。音響調整装置１は、増幅部２、表示制御部３、ミキサー部４を有する。音響調整装置１は、音楽プログラムが上演されるライブハウスや、テレビモニタを介してスポーツ観戦を行うスポーツバーのようなホールの音声調整室等に配置される。音響調整装置１は、いわゆる音声調整卓と呼ばれるオーディオミキサー等の装置である。
【００１８】
本実施形態では、音響調整装置１の増幅部２は、出力端子６ａ〜６ｘを介し、一例として２４台のスピーカ７ａ〜７ｘに接続されるものとする。また、音響調整装置１のミキサー部４は、入力端子５ａ〜５ｄを介し、音源９に接続されるものとする。
【００１９】
本実施形態において、同一構成の装置や部材が複数ある場合にはそれらについて同一の番号を付して説明を行い、また、同一構成の個々の装置や部材についてそれぞれを説明する場合に、共通する番号にアルファベット（小文字）の添え字を付けることで区別する。
【００２０】
音源９から出力された音響信号が、音響調整装置１のミキサー部４に入力されミキシングされる。音源９から出力される音響信号は、例えば４チャンネルで構成されたミュージックソースや、会場の歓声を含むスポーツ中継の音声である。音源９から出力された音響信号は、ミキサー部４により、２４台のスピーカ７ａ〜７ｘに対応した音響信号にミキシングされ、増幅部２に入力される。
【００２１】
ミキサー部４によりミキシングされた、２４台のスピーカ７ａ〜７ｘに対応した音響信号は、増幅部２により増幅され、２４台のスピーカ７ａ〜７ｘに出力される。
【００２２】
また、増幅部２により増幅された２４台のスピーカ７ａ〜７ｘに出力される音響信号は、表示制御部３に入力される。表示制御部３は、２４台のスピーカ７ａ〜７ｘの出力音量レベルを、複数の二次元画像により表示する。一枚の二次元画像により、２４台のスピーカ７ａ〜７ｘのうち同一平面に属するスピーカの出力音量レベルが、聴取位置とともにグラフにて表示される。音響調整装置１を構成する各部の詳細を、以下に説明する。
【００２３】
（２）増幅部２の構成
増幅部２は、音響調整装置１の外部に接続されたスピーカ７に入力される音響信号の増幅度を決定する増幅回路である。増幅部２は、２４台の増幅回路２１ａ〜２１ｘを有する。
【００２４】
増幅回路２１ａ〜２１ｘは、それぞれフェーダー２２ａ〜２２ｘ、インジケータ２４ａ〜２４ｘを有する。増幅回路２１ａ〜２１ｘの入力側は、ミキサー部４に接続される。増幅回路２１ａ〜２１ｘの各々は、ミキサー部４によりミキシングされた、２４台のスピーカ７ａ〜７ｘに対応した音響信号が入力される。
【００２５】
増幅回路２１ａ〜２１ｘの出力側は、それぞれ出力端子６ａ〜６ｘを介しスピーカ７ａ〜７ｘおよび表示制御部３に接続される。増幅部２の増幅回路２１ａ〜２１ｘは、ミキサー部４によりミキシングされた、２４台のスピーカ７ａ〜７ｘに対応した音響信号を増幅し、２４台のスピーカ７ａ〜７ｘおよび表示制御部３に出力する。
【００２６】
増幅回路２１ａ〜２１ｘは、スピーカ７ａ〜７ｘへ出力する音響信号の出力音量レベルを決定する。増幅回路２１ａ〜２１ｘは同様の構成となっている。
【００２７】
増幅回路２１ａ〜２１ｘは、演算増幅器等の増幅装置により構成される。増幅回路２１ａ〜２１ｘは、ミキサー部４から入力されたスピーカ７ａ〜７ｘに対応した音響信号を増幅し、出力する。増幅回路２１ａ〜２１ｘを構成する可変抵抗器は、フェーダー２２ａ〜２２ｘを構成する。フェーダー２２ａ〜２２ｘは、作業者により操作される。フェーダー２２ａ〜２２ｘにより増幅回路２１ａ〜２１ｘの可変抵抗器の抵抗値が調整され、増幅回路２１ａ〜２１ｘは、音響信号の出力音量レベルを決定する。
【００２８】
増幅回路２１ａ〜２１ｘの各々は、インジケータ２４ａ〜２４ｘを有する。インジケータ２４ａ〜２４ｘは、ＬＥＤランプ等により構成される。インジケータ２４ａ〜２４ｘは、表示制御部３に制御され点灯する。インジケータ２４ａ〜２４ｘは、図２に示すように、各々増幅回路２１を構成するフェーダー２２ａ〜２２ｘの近傍に配置される。
【００２９】
（３）ミキサー部４の構成
ミキサー部４は、デジタルシグナルプロセッサ等の演算回路により構成される。ミキサー部４の入力側は、入力端子５ａ〜５ｄを介し、音源９に接続される。ミキサー部４の出力側は、増幅部２の増幅回路２１ａ〜２１ｘに接続される。
【００３０】
ミキサー部４は、音源９から出力された音響信号をミキシングする。音源９から出力される音響信号は、例えば４チャンネルで構成されたミュージックソースや、会場の歓声を含むスポーツ中継の音声である。音源９から出力された音響信号は、ミキサー部４により、２４台のスピーカ７ａ〜７ｘに対応した音響信号にミキシングされ、出力される。ミキシングされた音響信号が、増幅部２に入力される。
【００３１】
ミキサー部４は、操作部（図中不示）を有し、作業者により操作部が操作される。これにより、入力端子５ａ〜５ｄに入力された４チャンネルの音響信号が、２４台のスピーカ７ａ〜７ｘに対応した音響信号にミキシングされる。
【００３２】
（４）表示制御部３の構成
表示制御部３は、スピーカ７ａ〜７ｘから出力される出力音量レベルの表示を行う表示装置である。表示制御部３は、音量レベル検出部３１、記憶部３２、入力部３３、表示部３４、制御部３５を有する。
【００３３】
（音量レベル検出部３１）
音量レベル検出部３１は、アナログ−デジタル変換回路等により構成される。音量レベル検出部３１の入力側は、増幅部２の各増幅回路２１ａ〜２１ｘに接続される。音量レベル検出部３１の出力側は、制御部３５に接続される。音量レベル検出部３１は、増幅部２の各増幅回路２１ａ〜２１ｘから出力された２４台のスピーカ７ａ〜７ｘに対応したアナログ信号である音響信号を受信する。
【００３４】
音量レベル検出部３１は、２４台のスピーカ７ａ〜７ｘに対応した音響信号をアナログ−デジタル変換し、２４台のスピーカ７ａ〜７ｘに対応した出力音量レベルに関する信号を作成する。音量レベル検出部３１は、スピーカ７ａ〜７ｘに対応した出力音量レベルに関する信号を、制御部３５に出力する。
【００３５】
（記憶部３２）
記憶部３２は、半導体メモリやハードディスクのような記憶媒体にて構成される。記憶部３２は、制御部３５に接続される。記憶部３２は、スピーカ７ａ〜７ｘの設置位置に関する情報を記憶する。記憶部３２は、制御部３５によりスピーカ７ａ〜７ｘの設置位置に関する情報の書込み読出しを制御される。
【００３６】
（入力部３３）
入力部３３は、キーボードやマウス等の操作部を有する入力装置により構成される。入力部３３は、制御部３５に接続される。入力部３３は、作業者により操作され、スピーカ７ａ〜７ｘの設置位置に関する情報が入力される。
【００３７】
（表示部３４）
表示部３４は、タッチスクリーンにより構成された液晶パネルのような表示装置である。表示部３４は、スピーカ７ａ〜７ｘごとの出力音量レベルを複数の二次元画像にて表示する。表示部３４は、制御部３５により、表示が制御される。また、表示部３４は、タッチスクリーンにより構成され、作業者によりタッチされた箇所を示す座標データを、制御部３５に送信する。
【００３８】
（制御部３５）
制御部３５は、マイクロコンピュータにより構成される。制御部３５は、後述するコンピュータプログラムを内蔵する。制御部３５は、音量レベル検出部３１、記憶部３２、入力部３３、表示部３４に接続される。制御部３５は、以下の演算および制御を行う。
【００３９】
（Ａ）音量レベル検出部３１
制御部３５は、音量レベル検出部３１を制御し、スピーカ７ａ〜７ｘに対応した出力音量レベルに関する信号を受信する。
【００４０】
（Ｂ）記憶部３２に対する制御
制御部３５は、記憶部３２を制御し、入力部３３から入力されたスピーカ７ａ〜７ｘの設置位置に関する情報の書込みを行う。また、制御部３５は、記憶部３２を制御し、スピーカ７ａ〜７ｘの設置位置に関する情報の読み出しを行う。
【００４１】
（Ｃ）入力部３３に対する制御
制御部３５は、入力部３３を制御し、作業者により操作され入力されたスピーカ７ａ〜７ｘの設置位置に関する情報を取得する。
【００４２】
（Ｄ）表示部３４に対する制御
制御部３５は、表示部３４を制御し、複数の二次元画像にてスピーカ７ａ〜７ｘごとの出力音量レベルを表示する。また、制御部３５は、表示部３４を制御し、作業者によりタッチされた、タッチスクリーンの箇所を示す座標データを受信する。
【００４３】
（Ｅ）制御部３５による演算
制御部３５は、記憶部３２に記憶されたスピーカ７ａ〜７ｘの設置位置に関する情報と、音量レベル検出部３１にて検出したスピーカ７ａ〜７ｘの出力音量レベルとを関連付け、表示部３４にて表示する出力音量レベルに関するデータの作成を行う。
【００４４】
（５）その他の構成
（スピーカ７）
スピーカ７は、音楽等の音声を再生するオーディオ用のスピーカにより構成される。スピーカ７ａ〜７ｘは、それぞれ増幅部２の増幅回路２１ａ〜２１ｘに接続される。スピーカ７ａ〜７ｘは、増幅部２の増幅回路２１ａ〜２１ｘから出力された音響信号を再生する。
【００４５】
２４台のスピーカ７ａ〜７ｘは、ホール等の音場に配置される。２４台のスピーカ７ａ〜７ｘは、聴取者の周囲に配置され、３Ｄサラウンド方式に対応する。一例として図３に２４台のスピーカ７ａ〜７ｘの配置位置を示す。スピーカ７ａ〜７ｈが、ホールの上層に配置される。スピーカ７ｉ〜７ｐが、ホールの中層に配置される。スピーカ７ｑ〜７ｘが、ホールの下層に配置される。
【００４６】
また、スピーカ７ａ〜７ｃ、７ｉ〜７ｋ、７ｑ〜７ｓが、ホールの前方の面に配置される。スピーカ７ｄ、７ｅ、７ｌ、７ｍ、７ｔ、７ｕが、ホールの側面に配置される。スピーカ７ｆ〜７ｈ、７ｎ〜７ｐ、７ｖ〜７ｘが、ホールの後方の面に配置される。
【００４７】
聴取者の周囲に配置された２４台のスピーカ７ａ〜７ｘは、３Ｄサラウンド方式に対応した高臨場感の音声を再生する。
【００４８】
（音源９）
音源９から出力される音響信号は、例えば４チャンネルで構成されたミュージックソースや、会場の歓声を含むスポーツ中継の音声である。音源９から出力された音響信号が、入力端子５ａ〜５ｄを介し音響調整装置１のミキサー部４に入力される。以上が音響調整装置１の構成である。
【００４９】
［１−２．作用］
次に、本実施形態の音響調整装置１の作用を、図１〜図７に基づき説明する。
【００５０】
最初に、音響調整装置１の初期設定について説明する。作業者により操作され、入力部３３に、図３に示すスピーカ７ａ〜７ｘの設置位置に関する情報が入力される。スピーカ７ａ〜７ｘの設置位置に関する情報は、ホール等の音場における２４台のスピーカ７ａ〜７ｘの配置された位置を示す情報である。スピーカ７ａ〜７ｘの設置位置に関する情報は、例えば、スピーカ７ａは上層前面左、スピーカ７ｂは上層前面中央・・・スピーカ７ｍは中層側面右・・・スピーカ７ｘは下層背面右等の情報である。
【００５１】
制御部３５は、入力部３３を制御し、作業者により入力されたスピーカ７ａ〜７ｘの設置位置に関する情報を取得する。制御部３５は、記憶部３２を制御し、入力部３３から入力されたスピーカ７ａ〜７ｘの設置位置に関する情報の書込みを行う。
【００５２】
次に、音響調整装置１がスピーカ７ａ〜７ｘから音声を再生している場合について説明する。音源９は、音響調整装置１のミキサー部４に音響信号を出力している。音源９から出力された音響信号は、音響調整装置１の入力端子５ａ〜５ｄを介しミキサー部４に入力される。音源９から出力される音響信号は、例えば４チャンネルで構成されたミュージックソースや、会場の歓声を含むスポーツ中継の音声である。
【００５３】
ミキサー部４は、音源９から出力された音響信号をミキシングする。音源９から出力された音響信号は、ミキサー部４により、２４台のスピーカ７ａ〜７ｘに対応した音響信号にミキシングされ、出力される。スピーカ７ａ〜７ｘに対応してミキシングされた２４の音響信号が、増幅部２に入力される。ミキサー部４の操作部（図中不示）が、作業者により操作される。これにより、入力端子５ａ〜５ｄに入力された４チャンネルの音響信号が、スピーカ７ａ〜７ｘに対応した２４の音響信号にミキシングされる。
【００５４】
ミキサー部４から増幅部２に入力されたスピーカ７ａ〜７ｘに対応した２４の音響信号は、それぞれ、増幅部２の増幅回路２１ａ〜２１ｘにより増幅され、スピーカ７ａ〜７ｘへ出力される。
【００５５】
増幅部２の増幅回路２１ａ〜２１ｘにより、スピーカ７ａ〜７ｘへ出力される音響信号の出力音量レベルが決定される。増幅回路２１ａ〜２１ｘを構成する可変抵抗器は、フェーダー２２ａ〜２２ｘに接続される。フェーダー２２ａ〜２２ｘが作業者により操作されることにより、増幅回路２１ａ〜２１ｘは、音響信号の出力音量レベルを決定する。
【００５６】
増幅回路２１ａ〜２１ｘは、増幅されたスピーカ７ａ〜７ｘに対応した２４の音響信号を、それぞれスピーカ７ａ〜７ｘに出力する。スピーカ７ａ〜７ｘは、増幅されたスピーカ７ａ〜７ｘに対応した２４の音響信号が入力され、音声を出力する。
【００５７】
聴取者の周囲に配置された２４台のスピーカ７ａ〜７ｘは、３Ｄサラウンド方式に対応した高臨場感の音声を再生する。
【００５８】
また、増幅回路２１ａ〜２１ｘにより増幅されたスピーカ７ａ〜７ｘに対応した２４の音響信号は、表示制御部３の音量レベル検出部３１に入力される。表示制御部３の制御部３５は、図７に示すプログラムに従い、以下の動作を行う。
【００５９】
（ステップＳ０１：音量レベル検出部３１から出力音量レベルを受信する）
制御部３５は、音量レベル検出部３１を制御し、２４台のスピーカ７ａ〜７ｘに対応した出力音量レベルに関する信号を受信する。音量レベル検出部３１は、増幅部２の各増幅回路２１ａ〜２１ｘから出力された２４台のスピーカ７ａ〜７ｘに対応した音響信号を受信する。
【００６０】
音量レベル検出部３１は、２４台のスピーカ７ａ〜７ｘに対応した音響信号を、アナログ−デジタル変換し２４台のスピーカ７ａ〜７ｘに対応した出力音量レベルに関する信号を作成する。制御部３５は、デジタル信号に変換された、スピーカ７ａ〜７ｘに対応した出力音量レベルに関する信号を受信する。
【００６１】
（ステップＳ０２：出力音量レベルと、複数のスピーカ７とを関連付ける）
次に、制御部３５は、音量レベル検出部３１から受信したデジタル信号であるスピーカ７ａ〜７ｘに対応した出力音量レベルに関する信号と、記憶部３２に記憶されたスピーカ７ａ〜７ｘとを関連付ける。制御部３５は、ホール等の音場における２４台のスピーカ７ａ〜７ｘのそれぞれが、出力している出力音量レベルを関連付ける。
【００６２】
（ステップＳ０３：スピーカ７ａ〜７ｘごとの出力音量レベルを表示する）
次に、制御部３５は、表示部３４を制御しスピーカ７ａ〜７ｘごとの出力音量レベルを表示させる。スピーカ７ａ〜７ｘごとの出力音量レベルは、複数の二次元画像にて表示される。
【００６３】
制御部３５は、ステップＳ０２にて関連付けられた、スピーカ７ａ〜７ｘの設置位置に関する情報と出力音量レベルとに基づき、表示部３４にて表示する表示データの作成を行う。表示データとして、例えば図４に示す４枚の二次元画像が、作成される。
【００６４】
二次元画像は、聴取位置を含めた以下の４枚である。聴取位置とは聴取者が位置すると想定される仮想のポイントである。
第１の画像：聴取位置に対し左右方向のスピーカを含む画像
スピーカ７ｄ、７ｅ、７ｌ、７ｍ、７ｔ、７ｕの出力音量レベルを表す画像
第２の画像：聴取位置に対し前後方向のスピーカを含む画像
スピーカ７ｂ、７ｊ、７ｒ、７ｇ、７ｏ、７ｗの出力音量レベルを表す画像
第３の画像：聴取位置に対し前方の左および後方の右のスピーカを含む画像
スピーカ７ａ、７ｉ、７ｑ、７ｈ、７ｐ、７ｘの出力音量レベルを表す画像
第４の画像：聴取位置に対し前方の右および後方の左のスピーカを含む画像
スピーカ７ｃ、７ｋ、７ｓ、７ｆ、７ｎ、７ｖの出力音量レベルを表す画像
【００６５】
表示データである４枚の二次元画像において、スピーカ７ａ〜７ｘは、聴取位置に対し二次元的に表示される。また、４枚の二次元画像において、スピーカ７ａ〜７ｘの出力音量レベルが、二次元的に表示される。
【００６６】
例えば、上記の第１の画像におけるスピーカ７ｄ、７ｅ、７ｌ、７ｍ、７ｔ、７ｕの出力音量レベルは、図５に示すように、スピーカ７とプロットされたポイントとの距離により表現される。
【００６７】
図５に示す第１の画像におけるスピーカ７ｄの出力音量レベルは、スピーカ７ｄと、ポイントＰｄを結ぶ距離Ｌｄにより表現される。ポイントＰｄは、スピーカ７ｄと聴取位置とを結ぶ線上にプロットされる。同様にスピーカ７ｅ、７ｌ、７ｍ、７ｔ、７ｕの出力音量レベルは、距離Ｌｅ、Ｌｌ、Ｌｍ、Ｌｔ、Ｌｕにより表現される。
【００６８】
スピーカ７ｄ、７ｅ、７ｌ、７ｍ、７ｔ、７ｕの出力音量レベルとしてプロットされたポイントＰｄ、Ｐｅ、Ｐｌ、Ｐｍ、Ｐｔ、Ｐｕは、スプライン曲線により結ばれる。また、スプライン曲線と、スピーカ７ｄ、７ｅ、７ｌ、７ｍ、７ｔ、７ｕの間は、所望の色に着色され表示されていてもよい。
【００６９】
同様に第２〜第４の画像により、聴取位置に対する出力音量レベルおよびスピーカ７の配置位置が表現される。
【００７０】
制御部３５は、第１〜第４の画像にかかるデータを表示部３４に出力し、表示部３４に第１〜第４の画像を表示させる。スピーカ７ａ〜７ｘごとの出力音量レベルは、複数の二次元画像にて表示される。表示部３４は、複数のスピーカ７ａ〜７ｘのうち聴取位置と同一平面に配置されたスピーカの出力音量レベルがグラフにて表現された、複数の二次元画像を表示する。
【００７１】
（ステップＳ０４：二次元画像におけるスピーカ７がタッチされたか判断する）
次に、制御部３５は、表示部３４に表示された第１〜第４の画像のいずれかにおいてスピーカ７ａ〜７ｘのいずれかが、作業者によりタッチされたかの判断を行う。表示部３４は、タッチスクリーンにより構成されている。作業者は、出力音量レベルの変更を希望するタッチスクリーン上のスピーカ７ａ〜７ｘをタッチすることにより指定する。
【００７２】
制御部３５は、表示部３４を制御し、作業者によりタッチされたタッチスクリーンの箇所を示す座標データを受信する。制御部３５は、作業者によりタッチされたタッチスクリーンの箇所を示す座標データに基づき、表示された二次元画像におけるスピーカ７ａ〜７ｘのいずれかがタッチされたかの判断を行う。
【００７３】
スピーカ７のいずれかがタッチされたと判断した場合（ステップＳ０４のＹＥＳ）、ステップＳ０５に移行する。スピーカ７のいずれかがタッチされたと判断しない場合（ステップＳ０４のＮＯ）、ステップＳ０１に移行しプログラムを繰り返す。
【００７４】
（ステップＳ０５：対象となるインジケータ２４ａ〜２４ｘを点灯させる）
ステップＳ０４にてスピーカ７のいずれかがタッチされたと判断した場合、制御部３５は、表示部３４に表示された二次元画像におけるスピーカ７ａ〜７ｘのうち、タッチされたスピーカに対応したフェーダー２２ａ〜２２ｘの近傍に配置されたインジケータ２４ａ〜２４ｘを点灯させる。インジケータ２４ａ〜２４ｘは、ＬＥＤランプ等により構成されている。
【００７５】
インジケータ２４ａ〜２４ｘの各々は、フェーダー２２ａ〜２２ｘの近傍に配置されており、作業者は、インジケータ２４ａ〜２４ｘの点灯により、出力音量レベルの変更を希望するスピーカ７ａ〜７ｘに対応するフェーダー２２ａ〜２２ｘを認識する。
【００７６】
この後、プログラムは、ステップＳ０１に移行し一連の動作を繰り返す。以上が、本実施形態の音響調整装置１の作用である。
【００７７】
［１−３．効果］
（１）本発明によれば、音響調整装置１は、音場に配置された複数のスピーカ７の出力音量レベルを検出する音量レベル検出部３１と、複数のスピーカ７の設置位置を記憶した記憶部３２と、音量レベル検出部３１が検出した出力音量レベルと、記憶部３２に記憶された複数のスピーカ７とを関連付ける制御部３５と、制御部３５により関連付けられた複数のスピーカ７ごとの出力音量レベルを表示する表示部３４と、を有し、表示部３４は、複数のスピーカ７のうち聴取位置と略同一平面に配置されたスピーカの出力音量レベルがグラフにて表現された、複数の二次元画像を表示するので、多数のスピーカを有する音響システムにおいて、複数のスピーカ７の出力音量レベルを、視覚的に同時に把握しやすい音響調整装置１を提供することができる。
【００７８】
表示部３４は、複数のスピーカ７のうち聴取位置と略同一平面に配置されたスピーカの出力音量レベルがグラフにて表現された、複数の二次元画像を表示するので、作業者は、聴取位置を中心とした複数の二次元画像により、音場を構成する空間全体の音響バランスを視覚的、立体的に把握することができる。
【００７９】
３Ｄサラウンド機能に対応した音響システムは多数のスピーカ７が配置されるため、作業者は３次元的に音響バランスを把握することが望ましい。本発明によれば、いわゆる音声調整卓と呼ばれるオーディオミキサー等の音響調整装置１の表示部３４により、音場の３次元空間における音響バランスが表示される。作業者は、スピーカ７から出力される、ミキシング後の音場の３次元空間における音響バランスを、視覚的に把握することができる。
【００８０】
３Ｄサラウンド機能に対応した音響システムは多数のスピーカ７が配置されるため、従来の音響調整装置を用いた場合、熟練した作業者であっても、３Ｄサラウンドのミキシング作業を行うことは、容易ではなかった。しかしながら本発明によれば、いわゆる音声調整卓と呼ばれるオーディオミキサー等の音響調整装置１の表示部３４により、音場の３次元空間における音響バランスが表示される。作業者は、表示部３４により表示される複数の二次元画像に基づき、３Ｄサラウンドのミキシング作業を行うことができる。
【００８１】
作業者は、３Ｄサラウンドの音響バランスを、聴覚だけではなく視覚的にも確認することができ、その結果、良好な音響バランスに調整されたよりコンテンツが、音場に出力される。
【００８２】
また、従来の音響調整装置を用いた場合、３Ｄサラウンドのミキシング技術を修得するにあたり、作業者は３次元空間における音響バランスを聴覚により把握する力を訓練することが必要とされた。しかしながら、本発明によれば、３Ｄサラウンドの音響バランスを視覚的に確認することができるので、作業者は短期間で３Ｄサラウンドのミキシング技術を修得することができる。
【００８３】
また、簡単なコンテンツであれば、３Ｄサラウンドのミキシングに不慣れな作業者であっても、視覚的に音響バランスを確認することができる。
【００８４】
（２）本実施形態によれば、複数のスピーカ７は、聴取位置に対し、少なくとも前方の左右の上下、後方の左右の上下に配置されるので、コンテンツを高臨場感の３Ｄサラウンドにより再生することができる。
【００８５】
（３）本実施形態によれば、表示部３４により表示される複数の二次元画像は、少なくとも前方の左の上下および後方の右の上下のスピーカを含む第１の二次元画像、および前方の右の上下および後方の左の上下のスピーカを含む第２の二次元画像を含むので、作業者は、聴取位置を中心とした複数の二次元画像により、音場を構成する空間全体の音響バランスを視覚的、立体的に把握することができる。
【００８６】
（４）本実施形態によれば、音量レベル検出部３１は、複数のスピーカ７に入力される信号のレベルを出力音量レベルとして検出するので、複数のスピーカ７から音場に出力される出力音量レベルが、音量レベル検出部３１により、より正確に検出される。その結果、表示部３４により表示される二次元画像に、複数のスピーカ７から音場に出力される出力音量レベルがより正確に示される。
【００８７】
（５）本実施形態によれば、音量レベル検出部３１は、複数のスピーカ７から出力された実音の出力音量レベルを検出するので、複数のスピーカ７から音場に出力される実音の出力音量レベルが、音量レベル検出部３１により、より正確に検出される。その結果、表示部３４により表示される二次元画像に、複数のスピーカ７から音場に出力される実音の出力音量レベルがより正確に示される。
【００８８】
表示部３４により表示される二次元画像は、ホール等の天井、側壁等における複雑な干渉を含む、スピーカ７から音場に出力された実音の出力音量レベルを表示する。作業者は、ホール等の音場に出力された、実際の音声を認識することができる。このため、作業者は、音場に出力された実音の出力音量レベルに基づき、より適切なスピーカ７の出力音量レベルの調整を行うことができる。
【００８９】
（６）本実施形態によれば、表示部３４は、タッチスクリーンにより構成され、表示部３４を構成するタッチスクリーンが作業者にタッチされることにより、複数のスピーカ７のうち一つに対応した、調整の対象となるフェーダー２２を示すインジケータ２３を有するので、作業者は、容易に調整の対象となるフェーダー２２を認識することができる。その結果作業者は、迅速にミスなく３Ｄサラウンドのミキシング作業を行うことができる。その結果、良好な音響バランスに調整されたよりコンテンツが、迅速に音場に出力される。
【００９０】
（７）本実施形態によれば、表示部３４により表示される複数の二次元画像における複数のスピーカ７の出力音量レベルは、スプライン曲線により接続され表示されるので、作業者は、容易に複数のスピーカ７の出力音量レベルを認識することができる。その結果作業者は、迅速にミスなく３Ｄサラウンドのミキシング作業を行うことができる。その結果、良好な音響バランスに調整されたよりコンテンツが、迅速に音場に出力される。
【００９１】
［２．他の実施形態］
本発明の変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００９２】
（１）上記実施形態では、音量レベル検出部３１は、増幅部２の各増幅回路２１ａ〜２１ｘから出力された２４台のスピーカ７ａ〜７ｘに対応したアナログ信号である音響信号が入力され、複数のスピーカ７に入力される信号のレベルを出力音量レベルとして検出するものとした。しかしながら、音量レベル検出部３１は、図８に示すように複数のマイク８から出力されたアナログ信号である音響信号が入力され、複数のスピーカ７から出力された実音の出力音量レベルを検出するようにしてもよい。
【００９３】
複数のマイク８ａ〜８ｘは、スピーカ７ａ〜７ｘのそれぞれの出力音声を検出するように設けられていてもよい。または、スピーカ７ａ〜７ｘの数量より少ない本数の複数のマイク８が、ホール等の音場に設置されるものであってもよい。例えば、複数のマイク８は、ホール等の音場の、前方の左右の上下、後方の左右の上下に合計８本に設置されるようにしてもよい。音量レベル検出部３１が、８本のマイクの出力信号を加減算して、スピーカ７ａ〜７ｘのそれぞれの出力音声を検出するようにしてもよい。
【００９４】
このように構成することで、作業者は、ホール等の音場に出力された、実際の音声を認識することができる。実際の音声は、ホール等の天井、側壁等における複雑な干渉も含んでいる。このため、作業者はより適切な、スピーカ７の出力音量レベルの調整を行うことができる。
【００９５】
（２）上記実施形態では、スピーカ７は、音場に２４台配置されるものとした。しかしながら、音場に配置されるスピーカ７の数はこれに限られない。配置される複数のスピーカ７は、聴取位置に対し、少なくとも前方の左右の上下、後方の左右の上下の８台以上であればよい。
【００９６】
また、音場に配置されるスピーカ７は、１つ以上のサブウーハ等のスピーカを含んでいてもよい。
【００９７】
（３）上記実施形態では、表示部３４により表示される複数の二次元画像は、４枚であるものとした。しかしながら、表示部３４により表示される複数の二次元画像の枚数は、これに限られない。表示部３４により表示される複数の二次元画像は、少なくとも前方の左の上下および後方の右の上下のスピーカを含む第１の二次元画像、および、前方の右の上下および後方の左の上下のスピーカを含む第２の二次元画像の、２枚以上であればよい。
【００９８】
また、表示部３４により表示される複数の二次元画像は、聴取位置を含まない略同一平面に配置されたスピーカ７の出力音量レベルがグラフにて表現された二次元画像を含んでいてもよい。多数のスピーカから出力された音声は、音響システムが設置されたホール等の天井、側壁等により複雑な干渉を起こす。聴取位置を含まない略同一平面に配置されたスピーカ７の出力音量レベルがグラフにて表現された二次元画像により、作業者はホール等の天井、側壁等に発生する音声の複雑な干渉を認識することができる。
【００９９】
（４）上記実施形態では、インジケータ２４は、ＬＥＤランプ等により構成されるものとしたがインジケータ２４の構成はこれに限られない。インジケータ２４は、バックライト液晶等の表示装置であってもよい。フェーダー２２ａ〜２２ｘは暗い場所で操作される場合が多く、インジケータ２４は、発光装置を有するものであることが望ましい。
【０１００】
（５）上記実施形態では、表示部３４により表示される複数の二次元画像により、聴取位置と略同一平面に配置されたスピーカ７の出力音量レベルがグラフにて表示されるものとした。しかしながら、表示部３４により表示される複数の二次元画像は、聴取位置と略同一平面に配置されたスピーカ７の出力音量レベルが表示されたものに限られない。音響システムが設置されるホール等の建築物の形状により、スピーカ７は、聴取位置に対し略同一平面を構成する面上に配置されるとは限らない。表示部３４により表示される複数の二次元画像は、聴取位置と略同一平面の近傍に配置されたスピーカ７の出力音量レベルを表示するものであってよい。
【符号の説明】
【０１０１】
１・・・音響調整装置
２・・・増幅部
３・・・表示制御部
４・・・ミキサー部
５，５ａ〜５ｄ・・・入力端子
６，６ａ〜６ｘ・・・出力端子
７，７ａ〜７ｘ・・・スピーカ
８，８ａ〜８ｘ・・・マイク
９・・・音源
２１，２１ａ〜２１ｘ・・・増幅回路
２２，２２ａ〜２２ｘ・・・フェーダー
２４，２４ａ〜２４ｘ・・・インジケータ
３１・・・音量レベル検出部
３２・・・記憶部
３３・・・入力部
３４・・・表示部
３５・・・制御部
【図１】
2020017880.tif 000003
【図２】
2020017880.tif 000004
【図３】
2020017880.tif 000005
【図４】
2020017880.tif 000006
【図５】
2020017880.tif 000007
【図６】
2020017880.tif 000008
【図７】
2020017880.tif 000009
【図８】
2020017880.tif 000010